(57)【要約】  【課題】デジタル光学機器で撮影された画像を大きく表示することができる簡易でコンパクトなプロジェクタ装置。  【解決手段】本発明のプロジェクタ装置１０は、デジタル光学機器で撮影された画像が映写されるプロジェクタ装置１０であって、デジタル光学機器が接続される接続部であるＵＳＢポート１２と、電源７２である電池が１つのみ装着される電源装着部１６と、白色光が発せられる白色発光ダイオード１８を備えている光源と、デジタル光学機器で撮影された画像が表示される液晶表示板と、液晶表示板からの光が通過される投影レンズ２８と、を有するものである。投影レンズ２８は、映写される画像が、１０インチサイズ以上１４インチサイズ以下の大きさとなるよう設定されている。白色発光ダイオード１８の光度は、０．５ｃｄ以上であることが好ましい。【選択図】図１
2006039167.tif 000002
【特許請求の範囲】
【請求項１】
デジタル光学機器で撮影された画像が映写されるプロジェクタ装置であって、
上記デジタル光学機器が接続される接続部と、
電源が装着される電源装着部と、
光が発せられる光源と、
上記デジタル光学機器で撮影された画像が表示される表示部と、
上記表示部からの光が通過される投影レンズと、
を有することを特徴とするプロジェクタ装置。
【請求項２】
前記電源は、電池であることを特徴とする請求項１記載のプロジェクタ装置。
【請求項３】
前記電源装着部は、前記電池が１つのみ装着されることを特徴とする請求項２記載のプロジェクタ装置。
【請求項４】
前記光源は、発光ダイオードを備えていることを特徴とする請求項１から３のいずれか１項記載のプロジェクタ装置。
【請求項５】
前記発光ダイオードは、白色発光ダイオードであることを特徴とする請求項４記載のプロジェクタ装置。
【請求項６】
前記白色発光ダイオードの光度は、０．５ｃｄ以上であることを特徴とする請求項５記載のプロジェクタ装置。
【請求項７】
前記投影レンズは、映写される画像が、１０インチサイズ以上１４インチサイズ以下の大きさで合焦されるように設定されていることを特徴とする請求項１から６のいずれか１項記載のプロジェクタ装置。
【請求項８】
前記接続部は、ＵＳＢポートであることを特徴とする請求項１から７のいずれか１項記載のプロジェクタ装置。
【発明の詳細な説明】
【技術分野】
【０００１】
本発明は、デジタル光学機器と接続して、このデジタル光学機器で撮影された画像または映像などを映写するプロジェクタ装置に関する。
【背景技術】
【０００２】
近年、撮影装置としてデジタルカメラが用いられている（例えば、特許文献１参照）。デジタルカメラでは、撮影された画像がディジタル化処理されて、ディジタルデータとしてデジタルカメラ内のメモリ部に格納されている。このため、簡易に、メモリ部から撮影された画像のディジタルデータを呼び出して、その画像をデジタルカメラの背面に設けられた液晶表示部に表示させることができる。
【０００３】
【特許文献１】特開２００３−３０４４８０号公報（要約、図３等）
【発明の開示】
【発明が解決しようとする課題】
【０００４】
デジタルカメラの背面に設けられた液晶表示部に表示された画像によって、撮影された画像がぶれていると認識できれば、この画像のディジタルデータをメモリ部から消去することで、メモリ部の空き容量を増やすことができ、新たな被写体の撮影およびこの撮影画像の記憶が可能となる。
【０００５】
しかしながら、デジタルカメラの背面に設けられた液晶表示部は、例えば、２インチサイズと小さいため、撮影された画像をこの液晶表示部に表示させても、撮影された画像が、ぶれているかどうかを認識するのが困難であるという問題点がある。
【０００６】
また、ノート型のパーソナルコンピュータ（Ｐｅｒｓｏｎａｌ  Ｃｏｍｐｕｔｅｒ：ＰＣ）（以下、「ノート型のパーソナルコンピュータ」を「ノートＰＣ」という。）を携行してデジタルカメラと接続し、ノートＰＣの、例えば、１２インチサイズ等の比較的大きなモニタに、デジタルカメラで撮影された画像を表示させて、この画像がぶれているかどうかを認識する方法が考えられる。しかし、ノートＰＣを携行しなければならず、手荷物が増えてしまうという問題点がある。
【０００７】
本発明は上記の問題点に鑑みてなされたものであり、簡易でコンパクトな装置を用いて、デジタルカメラまたはデジタルビデオカメラ等のデジタル光学機器で撮影された画像または映像を、大きく表示することを目的とする。
【課題を解決するための手段】
【０００８】
上述の目的を達成するため、本発明のプロジェクタ装置は、デジタル光学機器で撮影された画像が映写されるプロジェクタ装置であって、デジタル光学機器が接続される接続部と、電源が装着される電源装着部と、光が発せられる光源と、デジタル光学機器で撮影された画像が表示される表示部と、表示部からの光が通過される投影レンズと、を有するものである。
【０００９】
電源として、電池を採用することもできる。また、電源装着部は、電池が１つのみ装着される構成を採用することができる。電源を電池とし、電源装着部を、この電池１つのみが装着される構成とすることによって、プロジェクタ装置のコンパクト化が図れる。また、電源を電池とすることによって、家庭用コンセントがない場所でも、プロジェクタ装置で画像を映写することができる。
【００１０】
光源は、発光ダイオードを備えている構成を採用することができる。発光装置に発光ダイオードを備えることによって、低消費電力で高輝度の光が得られる。
【００１１】
発光ダイオードは、白色発光ダイオードである構成を採用することができる。白色発光ダイオードは、ＲＧＢ（Ｒ：Ｒｅｄ、Ｇ：Ｇｒｅｅｎ、Ｂ：Ｂｌｕｅ）成分を有する白色光を発するため、１種類の発光装置でプロジェクタ装置のフルカラー映写が可能となる。なお、白色発光ダイオードの光度は、０．５ｃｄ以上であることが好ましい。
【００１２】
投影レンズは、映写される画像が、１０インチサイズ以上１４インチサイズ以下の大きさで合焦されるように設定されている構成を採用することができる。映写される画像が１０インチサイズ以上の大きさであるため、撮影された画像がぶれているかどうかを充分認識できる。また、映写される画像を１４インチサイズ以下とすることで、プロジェクタ装置のコンパクト化が可能になると共に、プロジェクタ装置の消費電力を抑えることができる。
【００１３】
接続部は、ＵＳＢポートである構成を採用することができる。接続部をＵＳＢポートとすることによって、デジタル光学機器とプロジェクタ装置とを接続する接続コードを、小型のものとすることができる。
【発明の効果】
【００１４】
本発明によれば、デジタル光学機器で撮影された画像を大きく表示することができる簡易でコンパクトなプロジェクタ装置が得られる。
【発明を実施するための最良の形態】
【００１５】
以下、図面を参照しながら本発明の実施の形態に係るプロジェクタ装置１０について説明する。
【００１６】
まず、図１から図４を参照しながら、本発明の実施の形態に係るプロジェクタ装置１０の構造について説明する。
【００１７】
図１は、プロジェクタ装置１０を模式的に示した上面図である。このプロジェクタ装置１０は、図１に示すように、ＵＳＢ（Ｕｎｉｖｅｒｓａｌ  Ｓｅｒｉａｌ  Ｂｕｓ）ポート１２と、制御部１４と、電源装着部１６と、白色発光ダイオード１８と、液晶ユニット２２と、投影レンズ２８と、を備えている。
【００１８】
また、プロジェクタ装置１０は、インテグレータレンズ３０と、偏光変換プリズム３２と、ダイクロイックミラー３６と、ダイクロイックフィルター４０と、リレーレンズ４２と、反射ミラー４４と、入射偏光板５０，５２，５４と、出射偏光板６０，６２，６４と、ダイクロイックプリズム７０と、を備えている。
【００１９】
ＵＳＢポート１２は、デジタル光学機器が接続される接続部として作用する。接続部をＵＳＢポート１２とすることによって、デジタル光学機器とプロジェクタ装置１０とを接続する接続コードを、小型のものとすることができる。また、プロジェクタ装置１０にデジタル光学機器を接続することに代えて、プロジェクタ装置１０のＵＳＢポート１２にＵＳＢインターフェイスを有する読取装置を接続して、この読取装置に小型の情報記録媒体を装着して、この情報記録媒体に記録されているデータの画像をプロジェクタ装置１０で映写することもできる。なお、接続部は、ＵＳＢポート１２に限定されない。接続部は、ＳＣＳＩ（Ｓｍａｌｌ  Ｃｏｍｐｕｔｅｒ  Ｓｙｓｔｅｍ  Ｉｎｔｅｒｆａｃｅ）またはＩ／Ｏ（Ｉｎｐｕｔ／Ｏｕｔｐｕｔ）ポート等であっても良い。
【００２０】
制御部１４は、ＵＳＢポート１２に接続されたデジタル光学機器から送られてくる画像のディジタルデータを、いったん格納する。格納されたディジタルデータは、ＲＧＢ（Ｒ：Ｒｅｄ、Ｇ：Ｇｒｅｅｎ、Ｂ：Ｂｌｕｅ）の３原色の成分に分解されて、各成分の色に対応している液晶ユニット２２の画像回路（不図示）に送られる。
【００２１】
電源装着部１６は、白色発光ダイオード１８および画像回路等の各種部品を作動させる電源７２が装着される。電源７２は、例えば、単３型または単４型の乾電池が１つのみとされている。電源７２を電池とし、電源装着部１６は、この電池１つのみが装着される構成とすることによって、プロジェクタ装置１０のコンパクト化が図れる。また、電源７２として乾電池を使用することによって、家庭用コンセントがない場所でも、プロジェクタ装置１０で画像を映写することができる。なお、乾電池の数は、プロジェクタ装置１０の消費電力等に応じて２つ以上としても良い。また、使用される電池としては、マンガン乾電池、アルカリ乾電池、ニッケルカドミウム電池、リチウムイオン電池またはメタルハイドライド電池等が挙げられ、その種類は特に限定されない。この中でも、高出力および長寿命の観点から、メタルハイドライド電池を使用するのが好ましい。
【００２２】
白色発光ダイオード１８は、液晶ユニットの液晶表示板に表示されている画像をプロジェクタ装置１０の前面に設置されたスクリーン１６０（図４参照）に映写するための光を発生させる光源として作用する。光源として白色発光ダイオード１８を用いることによって、低消費電力で高輝度の光が得られる。また、白色発光ダイオード１８は、ＲＧＢ成分を有する白色光を発するため、１種類（１色）の光源でプロジェクタ装置１０のフルカラー映写が可能となる。なお、白色発光ダイオード１８の光度は、撮影された画像がぶれている、すなわち、ピンぼけしているかどうかを認識する作業性等の観点から、０．５ｃｄ以上であることが好ましい。
【００２３】
なお、プロジェクタ装置１０は、光源として白色発光ダイオード１８を使用することが好ましいが、白色発光ダイオード１８以外の光源を使用しても良い。このような光源としては、ハロゲンランプ、キセノンランプまたはメラルハライドランプ等が挙げられる。
【００２４】
図２は、白色発光ダイオード１８を模式的に示した断面図である。白色発光ダイオード１８は、発光ダイオードチップ７４と、リードフレーム７６と、充填剤７８と、リード線８０と、ワイヤ８２と、外部部材８４とを備えている。
【００２５】
発光ダイオードチップ７４は、ｎ電極８６と、ｎ型半導体層８８と、ｐ型半導体層９０と、ｐ電極９２とを備えている。ｎ電極８６およびｐ電極９２は、金属層から構成されている。ｎ型半導体層８８は、アルミニウム−ガリウム−インジウム窒化物（ＡｌｘＧａｙＩｎｚＮ）等のIII族窒化物系化合物に、シリコン（Ｓｉ）またはゲルマニウム（Ｇｅ）等のｎ型ドーパントをドーピングした半導体から構成されている。ｐ型半導体層９０は、III族窒化物系化合物に、マグネシウム（Ｍｇ）またはストロンチウム（Ｓｒ）等のｐ型ドーパントをドーピングした半導体から構成されている。
【００２６】
発光ダイオードチップ７４は、金属からなるリードフレーム７６のカップ部９４の内側に配置され、充填剤７８で覆われている。このため、ｎ電極８６は、リードフレーム７６と導通している。一方、ｐ電極９２は、ワイヤ８２を介して、金属からなるリード線８０と導通している。
【００２７】
充填剤７８は、透光性のアクリル樹脂またはポリエステル樹脂等の樹脂中に、赤蛍光体、緑蛍光体および青蛍光体の各種蛍光体９８を分散させて作製される。外部部材８４は、固まった後に透明となるエポキシ樹脂またはシリコーン樹脂等の樹脂から構成されている。
【００２８】
ここで、白色発光ダイオード１８が白色光を発する仕組みについて簡単に説明する。
【００２９】
まず、電源７２からリードフレーム７６とリード線８０との間に電圧が印加される。すなわち、ｎ電極８６とｐ電極９２との間に電圧が印加される。ｎ電極８６とｐ電極９２との間に電圧が印加されると、ｎ型半導体層８８の電子はｐ型半導体層９０の方向に、ｐ型半導体層９０の正孔はｎ型半導体層８８の方向に、それぞれ移動する。移動した電子および正孔は、ｎ型半導体層８８とｐ型半導体層９０との境界面（ｐｎ接合面）で結合すると共に、所定の波長の光、例えば、紫色光を発する。
【００３０】
次に、発光ダイオードチップ７４から発光された紫色光は、充填剤７８中の赤蛍光体、緑蛍光体および青蛍光体の各種蛍光体９８を励起する。励起された各種蛍光体９８は、赤色、緑色および青色の各色の光を発する。そして、発光ダイオードチップ７４から発光された紫色光と、各種蛍光体９８から発光された赤色光、緑色光および青色光が混合された状態で、外部部材８４を通過して白色発光ダイオード１８の外部に放出される。この紫色光、赤色光、緑色光および青色光が混合された光は、白色光として視認される。
【００３１】
液晶ユニット２２は、第１液晶ユニット１００、第２液晶ユニット１０２および第３液晶ユニット１０４から構成されている。第１液晶ユニット１００は、第１液晶表示板と第１画像回路（いずれも不図示）とを備えている。第２液晶ユニット１０２は、第２液晶表示板と第２各画像回路（いずれも不図示）とを備えている。第３液晶ユニット１０４は、第３液晶表示板と第３画像回路（いずれも不図示）とを備えている。
【００３２】
第１液晶表示板は、第１画像回路から送られた赤色成分の画像を表示する。第２液晶表示板は、第２画像回路から送られた緑色成分の画像を表示する。第３液晶表示板は、第３画像回路から送られた青色成分の画像を表示する。
【００３３】
投影レンズ２８は、ダイクロイックプリズム７０で合成されたフルカラーの光が通過する際に、拡大してスクリーン１６０に投影する（図４参照）。この投影レンズ２８は、映写される画像が、１０インチサイズ以上１４インチサイズ以下の大きさで合焦されるように設定されている。ここで、Ｎインチサイズの大きさとは、映写された画像の形状が長方形（正方形を含む）の場合、この長方形の対角線の長さがＮインチである大きさをいう。このため、撮影された画像が、ぶれているかどうかを認識できると共に、プロジェクタ装置１０の消費電力を抑えることができる。なお、映写される画像の大きさの設定は、投影レンズ２８の材質、または、表面の曲面形状の選択等によって行われる。
【００３４】
インテグレータレンズ３０は、発光装置から発せられた光を収束させて、偏光変換プリズム３２に入射させる。偏光変換プリズム３２は、入射した光の方向を揃える。このため、白色発光ダイオード１８から発せられた光は、インテグレータレンズ３０および偏光変換プリズム３２を通過する間に、いったん一方向（例えば、縦方向）の光に揃えられる。
【００３５】
ダイクロイックミラー３６は、入射した光のうち、特定の波長の光のみを反射させて、残りの光を透過させる。ダイクロイックミラー３６は、第１ダイクロイックミラー１１０と、第２ダイクロイックミラー１１２とを備えている。第１ダイクロイックミラー１１０は、赤色領域の波長の光のみを反射させて、残りの光を透過させる。第２ダイクロイックミラー１１２は、緑色領域の波長の光のみを反射させて、残りの光を透過させる。
【００３６】
ダイクロイックフィルター４０は、青色領域の波長の光のみを透過させて、残りの光を吸収する。リレーレンズ４２は、青色成分の光を、第３液晶表示板に入射するまで収束させておくためのレンズである。反射ミラー４４は、入射した光を全て反射させる。
【００３７】
入射偏光板５０，５２，５４は、それぞれ第１、第２、第３液晶表示板に入射する直前の光の方向を揃えるための偏光板である。出射偏光板６０，６２，６４は、それぞれ第１、第２、第３液晶表示板から入射した直後の光の方向を揃えるための偏光板である。なお、各液晶表示板の基板間に存在する液晶分子の電界応答性を上げるために、入射偏光板５０，５２，５４と液晶ユニット１００，１０２，１０４との間に、広視野角フィルムを設けても良い。
【００３８】
図３は、ダイクロイックプリズム７０を模式的に示す上面図である。ダイクロイックプリズムは、図３に示すように、第１プリズム１２０、第２プリズム１２２、第３プリズム１２４および第４プリズム１２６の、４つの三角柱形状のプリズムから構成されている。第１プリズム１２０と第２プリズム１２２との境界、第２プリズム１２２と第３プリズム１２４との境界、第３プリズム１２４と第４プリズム１２６との境界および第４プリズム１２６と第１プリズム１２８との境界には、それぞれ第１半透過層１３０、第２半透過層１３２、第３半透過層１３４および第４半透過層１３６が配置されている。
【００３９】
第１半透過層１３０は、第２プリズム１２２から第１プリズム１２０への方向の光を透過させるが、第１プリズム１２０から第２プリズム１２２への方向の光を反射させる。第２半透過層１３２は、第２プリズム１２２から第３プリズム１２４への方向の光を透過させるが、第３プリズム１２４から第２プリズム１２２への方向の光を反射させる。第３半透過層１３４は、第３プリズム１２４から第４プリズム１２６への方向の光を透過させるが、第４プリズム１２６から第３プリズム１２４への方向の光を反射させる。第４半透過層１３６は、第１プリズム１２０から第４プリズム１２６への方向の光を透過させるが、第４プリズム１２６から第１プリズム１２０への方向の光を反射させる。
【００４０】
このため、図３に示すように、外部から第１プリズム１２０に入射した光は、第１半透過層１３０または第３半透過層１３４で反射された後、第４プリズム１２６から外部に出射する。同様にして、外部から第２プリズム１２２に入射した光は、第４プリズム１２６から外部に出射し、外部から第３プリズム１２４に入射した光は、第４プリズム１２６から外部に出射する。すなわち、外部から第１プリズム１２０、第２プリズム１２２および第３プリズム１２４に入射した光は、合成されて第４プリズム１２６から外部に出射することとなる。
【００４１】
次に、図１および図４を参照しながら、デジタルカメラ１５０で撮影された画像が、プロジェクタ装置１０によってスクリーン１６０に映写される仕組みについて説明する。
【００４２】
図４は、デジタルカメラ１５０が接続された状態を示すプロジェクタ装置１０の外観図である。プロジェクタ装置１０のＵＳＢポート１２に、デジタルカメラ１５０に接続されているＵＳＢケーブル１６２が接続されている。このため、デジタルカメラ１５０で撮影された画像は、ディジタルデータとして、デジタルカメラ１５０からＵＳＢポート１２を経由して制御部１４に送信され格納される。
【００４３】
まず、白色発光ダイオード１８から白色光１３８が発せられる。次に、白色発光ダイオード１８から発せられた白色光１３８は、インテグレータレンズ３０によって発散するのを抑えられながら、偏光変換プリズム３２に入射する。次に、偏光変換プリズム３２に入射した白色光１３８は、一方向に揃えられて、偏光変換プリズム３２から出射する。
【００４４】
次に、偏光変換プリズム３２から出射した白色光１３８は、レンズ１３９を通過した後、第１ダイクロイックミラー１１０に照射される。次に、第１ダイクロイックミラー１１０に照射された白色光１３８は、赤色成分の光１４０が第１ダイクロイックミラー１１０で反射され、赤色成分以外の成分の光１４１（以下、「赤色成分以外の成分の光」を「非赤色成分の光」という。）が第１ダイクロイックミラー１１０を透過する。
【００４５】
次に、第１ダイクロイックミラー１１０で反射された赤色成分の光１４０は、反射ミラー４４に照射される。一方、第１ダイクロイックミラー１１０を透過した非赤色成分の光１４１は、第２ダイクロイックミラー１１２に照射される。次に、反射ミラー４４に照射された赤色成分の光１４０は、全反射されて、レンズ１３９を通過した後、入射偏光板５０に入射する。一方、第２ダイクロイックミラー１１２に照射された非赤色成分の光１４１は、緑色成分の光１４２が第２ダイクロイックミラー１１２で反射され、緑色成分以外の成分の非赤色成分の光１４３（以下、「緑色成分以外の成分の非赤色成分の光」を「非赤色非緑色成分の光」という。）が第２ダイクロイックミラー１１２を透過する。
【００４６】
次に、第２ダイクロイックミラー１１２で反射された緑色成分の光１４２は、レンズ１３９を通過した後、入射偏光板５２に入射する。一方、第２ダイクロイックミラー１１２を透過した非赤色非緑色成分の光１４３は、ダイクロイックフィルター４０に入射する。次に、ダイクロイックフィルター４０に入射した非赤色非緑色成分の光１４３は、青色成分の光１４４となって、ダイクロイックフィルター４０から出射する。すなわち、非赤色非緑色成分の光１４３のうち、青色成分の光１４４以外の成分の光は、ダイクロイックフィルター４０に吸収される。
【００４７】
次に、ダイクロイックフィルター４０を通過した青色成分の光１４４は、リレーレンズ４２によって発散するのを抑えられながら、また、反射ミラー４４によって進行方向を変換されながら、レンズ１３９を通過した後、入射偏光板５４に入射する。
【００４８】
一方、制御部１４に格納されているデジタルカメラ１５０で撮影された画像のディジタルデータは、ＲＧＢの３原色に分離される。そして、第１液晶ユニット１００では、第１画像回路が、制御部１４から送信された画像のＲ成分のディジタルデータを赤色成分の画像に変換して、この赤色成分の画像を第１液晶表示板に表示させる。同様にして、第２液晶ユニット１０２では、第２画像回路が、制御部１４から送信された画像のＧ成分のディジタルデータを緑色成分の画像に変換して、この緑色成分の画像を第２液晶表示板に表示させ、第３液晶ユニット１０４では、第３画像回路が、制御部１４から送信された画像のＢ成分のディジタルデータを青色成分の画像に変換して、この青色成分の画像を第３液晶表示板に表示させる。
【００４９】
次に、赤色成分の光１４０は、第１液晶表示板を透過し、更に出射偏光板６０を通過しながら方向を揃えられた後、ダイクロイックプリズム７０に入射する。同様にして、緑色成分の光１４２は、第２液晶表示板を透過し、更に出射偏光板６２を通過しながら方向を揃えられた後、ダイクロイックプリズム７０に入射し、青色成分の光１４４は、第３液晶表示板を透過し、更に出射偏光板６４を通過しながら方向を揃えられた後、ダイクロイックプリズム７０に入射する。
【００５０】
次に、ダイクロイックプリズム７０に入射した赤色成分の光１４０、緑色成分の光１４２および青色成分の光１４４は、ダイクロイックプリズム７０で合成されて投影レンズ２８に入射される。次に、投影レンズ２８に入射された合成光は、拡散されてスクリーン１６０に照射される。このようにして、デジタルカメラ１５０で撮影された画像が、プロジェクタ装置１０によってスクリーン１６０に映写される。なお、スクリーン１６０としては、紙、壁、カーテンもしくはブラインド等の幕、襖、障子もしくはドア等の扉、または、映写用のパネルなどが使用可能である。
【００５１】
以上、本発明の各実施の形態について説明したが、本発明はこれ以外にも種々変形実施可能である。例えば、本発明の実施の形態に係るプロジェクタ装置１０では、第１、第２、第３液晶表示板が透過型であるが、これに代えて、第１、第２、第３液晶表示板が反射型であっても良い。
【００５２】
また、本発明の実施の形態に係るプロジェクタ装置１０では、白色発光ダイオード１８からの光を３原色に分離して、３つの液晶表示板を透過させる３板式プロジェクタ装置であるが、これに代えて、フルカラーの光が１つの液晶表示板を透過して、この液晶表示板に表示された画像を映写する単板式プロジェクタ装置であっても良い。
【００５３】
また、白色光を３原色に分離して、それぞれの液晶表示板を透過させるプロジェクタ装置１０に代えて、予め３種類の光源（例えば、赤色発光ダイオード、緑色発光ダイオードおよび青色発光ダイオード）を備え、それぞれの色がそれぞれの液晶表示板を透過する３板式プロジェクタ装置であっても良い。
【産業上の利用可能性】
【００５４】
本発明は、デジタル光学機器に接続して使用するプロジェクタ装置に利用することが可能である。
【図面の簡単な説明】
【００５５】
【図１】本発明の実施の形態に係るプロジェクタ装置を模式的に示す図である。
【図２】本発明の実施の形態に係るプロジェクタ装置の白色発光ダイオードを模式的に示す断面図である。
【図３】本発明の実施の形態に係るプロジェクタ装置のダイクロイックプリズムを模式的に示す上面図である。
【図４】本発明の実施の形態に係るプロジェクタ装置のデジタルカメラが接続された状態での外観図である。
【符号の説明】
【００５６】
１０  プロジェクタ装置
１２  ＵＳＢポート（接続部）
１４  制御部
１６  電源装着部
１８  白色発光ダイオード（光源）
２２  液晶ユニット
２８  投影レンズ
３０  インテグレータレンズ
３２  偏光変換プリズム
３６  ダイクロイックミラー
４０  ダイクロイックフィルター
４２  リレーレンズ
４４  反射ミラー
５０、５２、５４  入射偏光板
６０、６２、６４  出射偏光板
７０  ダイクロイックプリズム
７２  電源
１３８  白色光
１３９  レンズ
１４０  赤色成分の光
１４２  緑色成分の光
１４４  青色成分の光
１５０  デジタルカメラ
１６０  スクリーン
【図１】
2006039167.tif 000003
【図２】
2006039167.tif 000004
【図３】
2006039167.tif 000005
【図４】
2006039167.tif 000006